【手続補正書】
【提出日】平成30年5月16日(2018.5.16)
【手続補正１】
【補正対象書類名】特許請求の範囲
【補正対象項目名】全文
【補正方法】変更
【補正の内容】
【特許請求の範囲】
【請求項１】
ループ状の金属ストラップ（１０）と横バックル（１２）とを備えるクランプカラーであって、前記横バックル（１２）は、前記ストラップの第１端（１０Ａ）にて保持され、前記第１端の外側で、前記ストラップの第２端（１０Ｂ）が前記第１端にかぶさって挿入され得る挿通路（１３）を形成し、このように挿入される前記ストラップの前記第２端は、くぼみ付けられることによって、前記横バックル（１２）を構成する少なくとも１つの要素および前記ストラップの前記第１端（１０Ａ）と連係し、それにより前記カラーの直径が大きくなる方向に移動しないように保持されるように適切に構成され、
前記バックル（１２）は、少なくとも１つの半径方向に突出する外側タブ（２０、２２）を担持し、前記タブは、頭部（２０Ｂ、２２Ｂ）を担持する柄部（２０Ａ、２２Ａ）を有するフックの形状を有し、前記頭部の下に凹部（Ｄ）が形成されることを特徴とするクランプカラー。
【請求項２】
前記フックの前記頭部（２０Ｂ、２２Ｂ）は、実質的に前記ストラップの長さに沿って伸びる自由エッジ（２０’Ｂ、２２’Ｂ）を有することを特徴とする請求項１に記載のカラー。
【請求項３】
前記挿通路（１３）は、前記バックル（１２）の少なくとも１つの外側の壁部分（１５Ａ、１５Ｂ）によって規定される拘束区分を含み、前記外側の壁部分（１５Ａ、１５Ｂ）は、前記ストラップの前記第１端（１０Ａ）の外側の面の上方に位置し、前記外側タブ（２０、２２）は、前記外側の壁部分に対して縦方向にずれていることを特徴とする請求項１または２に記載のカラー。
【請求項４】
前記外側タブは、前記外側の壁部分から切り欠きによって分離されていることを特徴とする請求項３に記載のカラー。
【請求項５】
前記外側の壁部分（１５Ａ、１５Ｂ）および前記外側タブ（２０、２２）は、前記バックル（１２）の縦エッジから伸び、前記エッジから横方向に測定される長さが同じであり、前記外側タブは、前記フックの柄部（２０Ａ、２２Ａ）と前記頭部（２０Ｂ、２２Ｂ）とを分ける縦折りライン（ｌｐ）を有することを特徴とする請求項４に記載のカラー。
【請求項６】
前記外側の壁部分（１５Ａ、１５Ｂ）は、前記ストラップ（１０）の前記第１端（１０Ａ）の外側に位置する自由縦エッジ（１５’Ａ、１５’Ｂ）を有することを特徴とする請求項３〜５のいずれか１つに記載のカラー。
【請求項７】
前記少なくとも１つの外側の壁部分（１１５Ａ、１１５Ｂ）の前記自由縦エッジは、フック（１５１Ａ、１５１Ｂ）を担持することを特徴とする請求項６に記載のカラー。
【請求項８】
前記外側タブは、前記バックルの横エッジの近傍に位置し、前記横エッジは、前記ストラップの前記第２端の自由先端からより遠くに位置する横エッジであることを特徴とする請求項１〜７のいずれか１つに記載のカラー。
【請求項９】
前記バックルは、２つの類似した、半径方向に突出する外側タブ（２０、２２）を有し、前記外側タブ（２０、２２）は、前記バックル（１２）の２つの縦側部のそれぞれから伸び、前記ストラップ（１０）の前記第２端（１０Ｂ）が前記タブの前記柄部（２０Ａ、２２Ａ）の間に挿入され得ることを特徴とする請求項１〜８のいずれか１つに記載のカラー。
【請求項１０】
前記カラーは、前記ストラップ（１０）の前記第２端（１０Ｂ）が前記タブ（２０、２２）の前記柄部（２０Ａ、２２Ａ）の間の、前記柄部と前記バックル（１２）の前記縦側部との接合部の近傍のみに挿入されるようにするための手段（２０Ｃ、２２Ｃ）を有することを特徴とする請求項９に記載のカラー。
【請求項１１】
前記タブ（２０、２２）のうちの少なくとも１つ、好ましくは前記２つのタブのうちのそれぞれは、内側リブ（２０Ｃ、２２Ｃ）を、当該タブの前記柄部（２０Ａ、２２Ａ）と当該タブの前記頭部（２０Ｂ、２２Ｂ）との間の接合部において有することを特徴とする請求項１〜１０のいずれか１つに記載のカラー。
【請求項１２】
前記バックル（１２）は、少なくとも前記バックル（１２）の外側部分において、前記カラーの軸（Ａｘ）に垂直な前記ストラップ（１０）の中心面（ＩＶ−ＩＶ）を中心として対称となることを特徴とする請求項１〜１１のいずれか１つに記載のカラー。
【請求項１３】
前記バックル（１２）は、前記ストラップ（１０）の前記第１端（１０Ａ）の内側の面に対向して配置される内側部分（１４）を有し、前記内側部分（１４）は、前記ストラップの前記第１端の自由先端（１０’Ａ）が向く方向と反対の方向に向く制止横エッジ（１４Ａ）を有し、前記制止横エッジ（１４Ａ）は、前記第１端に形成される制止後退部（１６）を規定する前記ストラップ（１０）の前記第１端（１０Ａ）の制止横止め部（１６Ａ）と連係し、前記ストラップ（１０）の前記第２端（１０Ｂ）は、前記カラーの直径が大きくなる方向に移動することを防止されるように保持されるくぼみ付け状態において、前記制止後退部（１６）において受け止められ、前記制止後退部（１６）の保持エッジ（１７Ａ）と当接して連係する保持横止め部（１１）を有することを特徴とする請求項１〜１２のいずれか１つに記載のカラー。
【請求項１４】
前記制止横エッジ（１４Ａ）は、前記バックル（１２）の前記内側部分（１４）の第１の自由端（１２Ａ）に位置する自由エッジであり、前記バックルの前記内側部分の前記第１の自由端において、ノッチ（１９）の後ろに有利に形成されることを特徴とする請求項１３に記載のカラー。
【請求項１５】
前記ストラップの前記第２端（１０Ｂ）をくぼみ付けることによって、横切り込みによって規定される保持後退部（１１’）が形成され、前記保持止め部（１１）は、前記保持後退部（１１’）の後ろに位置する前記切り込みの縁部上に形成されることを特徴とする請求項１３または１４に記載のカラー。
【請求項１６】
前記バックル（１２）の前記内側部分（１４）は、前記ストラップの前記第１端（１０Ａ）の前記自由先端（１０’Ａ）側を向く増設制止横エッジ（１４Ｂ）を有し、前記増設制止横エッジ（１４Ｂ）は、前記第１端に形成される増設制止後退部（１６’）を規定する前記ストラップの前記第１端（１０Ａ）の増設制止横止め部（１６’Ａ）と連係することを特徴とする請求項１３〜１５のいずれか１つに記載のカラー。
【請求項１７】
請求項１〜１６のいずれか１つに記載のカラーを締め付けるための締め付け具であって、前記カラーの前記横バックル（１２）上に位置付けられるように適切に構成された頭部（３２）と、前記ストラップ（１０）の前記第２端（１０Ｂ）にくぼみ付けするように移動するように適切に構成されたパンチ（３３）を備え、前記頭部（３２）は、前記カラーに対して前記器具を位置付けるために、前記カラーの前記バックルによって担持される前記少なくとも１つの外側タブ（２０、２２）の少なくとも一部分を受け入れるための少なくとも１つの溝（３４）を有することを特徴とする締め付け具。
【請求項１８】
前記溝（３４）は、フック形状のスロットを備えることを特徴とする請求項１７に記載の締め付け具。
【手続補正２】
【補正対象書類名】明細書
【補正対象項目名】００３２
【補正方法】変更
【補正の内容】
【００３２】
増設制止横止め部１６’Ａおよび増設制止後退部１６’は、バックルの内側部分の横中心線Ｌを中心にして、制止横止め部１６Ａおよび制止後退部１６に対して略対称である。止め部１６’Ａとエッジ１４Ｂとの連係により、ストラップの第１端１０Ａがバックル１２に対して図４に示す方向Ｆと反対の方向に移動することが防止される。
【手続補正３】
【補正対象書類名】明細書
【補正対象項目名】００６８
【補正方法】変更
【補正の内容】
【００６８】
一般に、バックルを外すことによってカラーを外す必要が生じ得るのは、カラーが閉じられ、締め付けられた場合である。例えばプライヤタイプなどの器具がフック１５１Ａ、１５１Ｂの下に挿入されることによって、フックをストラップから引き離して、壁部分１１５Ａおよび１１５Ｂを開放することができる。上記のように、外側タブ１２０および１２２は、切り欠きによって上記壁部分から分離される。これにより、遠ざけるように移動させた壁部分１１５Ａおよび１１５Ｂは、外側タブの位置に影響を与えないので、外側タブは、ストラップの第２端の外側の面の上方で元の位置に留まる。外側タブの頭部の下に形成された隙間は、先行の図において示す例よりも小さくてもよい。このように、壁部分１１５Ａおよび１１５Ｂが一旦遠ざかるように移動すると、ストラップの第２端は、外側タブの頭部の下に留まり、頭部に対向して配置される傾向がある。これにより、バックルは、緩むが、ストラップ上に一時的に保持される。これにより、バックルが一旦外された場合に、バックルがストラップから離れたり、床または地面に落下することが防止される。バックルを積極的にストラップから外すためには、バックルを把持しながら、ストラップの第２端をスライドさせて、カラーを開放すればよい。